(57)【要約】【課題】入院患者を該患者の室内環境の好みに適した病室に入室させる。【解決手段】入院患者管理システムは、入院患者の室内環境の好みの入力を受け付け、第１のサーバ装置とのチャットにより該入院患者に適した病室の検索を前記第１のサーバ装置に依頼する端末装置と、前記第１のサーバ装置からの依頼に基づいて、前記入院患者に適した病室を検索する第２のサーバ装置とを備え、前記第２のサーバ装置は、室内環境の情報を定期的に更新する病室情報更新部と、前記入院患者の室内環境の好みと、前記室内環境の情報とに基づいて、前記入院患者の前記室内環境の好みとの差異が小さい病室を抽出する病室検索部とを含む。【選択図】図２
2020038546.tif 000002
【特許請求の範囲】
【請求項１】
入院患者の室内環境の好みの入力を受け付け、第１のサーバ装置とのチャットにより該入院患者に適した病室の検索を前記第１のサーバ装置に依頼する端末装置と、
前記第１のサーバ装置からの依頼に基づいて、前記入院患者に適した病室を検索する第２のサーバ装置とを備え、
前記第２のサーバ装置は、前記室内環境の情報を定期的に更新する病室情報更新部と、前記入院患者の室内環境の好みと、前記室内環境の情報とに基づいて、複数の病室の中から前記入院患者の前記室内環境の好みとの差異が小さい病室を抽出する病室検索部とを含む
ことを特徴とする入院患者管理システム。
【請求項２】
前記端末装置は、前記入院患者の感覚的な前記室内環境の好みの入力を受け付け、
前記第２のサーバ装置の前記病室検索部は、更に、前記感覚的な前記室内環境の好みと前記病室の環境を示す数値との対応関係を含む要素変換テーブルに基づいて、前記入院患者の前記感覚的な前記室内環境の好みを数値化し、数値化した前記室内環境の好みと、前記複数の病室のそれぞれにおける前記室内環境の情報とに基づいて、前記複数の病室のそれぞれの前記入院患者に対する好適度を算出する
ことを特徴とする請求項１に記載の入院患者管理システム。
【請求項３】
前記室内環境は、室内の温度、湿度、騒音レベル、及び照度を含む
ことを特徴とする請求項１に記載の入院患者管理システム。
【請求項４】
前記第２のサーバ装置は、入院患者が使用する患者向け端末装置のうち前記入院患者が入室する病室に既に入室している入院患者が使用する前記患者向け端末装置を特定する端末特定部を更に含む
ことを特徴とする請求項１に記載の入院患者管理システム。
【請求項５】
前記第２のサーバ装置の前記端末特定部は、更に、新たに入室する患者がいることを示す情報と、該患者の前記室内環境の情報を含むメッセージを作成し、特定した前記患者向け端末装置に前記メッセージを送信する
ことを特徴とする請求項４に記載の入院患者管理システム。
【請求項６】
コンピュータが、
室内環境の情報を定期的に収集して更新し、
外部装置から入院患者の室内環境の好みを示す情報を含む病室の検索依頼を受信した場合に、前記入院患者の室内環境の好みと、前記室内環境の情報とに基づいて、前記入院患者の前記室内環境の好みとの差異が小さい病室を抽出し、
抽出した前記病室を示す情報を前記外部装置に返信する
処理を実行することを特徴とする入院患者管理方法。
【発明の詳細な説明】
【技術分野】
【０００１】
本発明は、入院患者管理システム及び入院患者管理方法に関する。
【背景技術】
【０００２】
近年、スマートフォンやタブレット型コンピュータ等のモバイル端末の普及、及びチャット技術の向上により、モバイル端末を利用した人とコンピュータとのコミュニケーション基盤が急速に発達している。この種の技術を適用したエージェント装置の１つとして、走行中の車両における車室内の温度と車両外部の温度との差と、車両に搭載されたエアコンディショナの動作状況とに基づいて運転者に対して各種の提案をし、コミュニケーションを図るエージェント装置がある（例えば、特許文献１を参照）。
【０００３】
また、モバイル端末を利用したコミュニケーション基盤は、例えば、病院内のように不特定多数の人が生活をする空間における対人同士のコミュニケーションを円滑化する手段の１つとして期待されている。
【先行技術文献】
【特許文献】
【０００４】
【特許文献１】特開２００５−３１３８８６号公報
【発明の概要】
【発明が解決しようとする課題】
【０００５】
病院に新たに入院することとなった患者が入室する（入院生活を送る）病室を決定する場合、例えば、診療科毎に定められた複数の病室のうち入室可能な病室の中から機械的に決定することがある。しかしながら、病院内の複数の病室は、それぞれ、温度や湿度等の室内環境が、既入院患者の感覚的な室内環境の好みに合うように調整されていることが多い。このため、新たな入院患者が入室する病室を機械的に決定した場合、新たな入院患者の感覚的な室内環境の好みと既入院患者の好みとの不一致により、新たな入院患者に心理的な負担が生じることがある。
【０００６】
１つの側面において、本発明は、入院患者を該患者の室内環境の好みに適した病室に入室させることを目的とする。
【課題を解決するための手段】
【０００７】
本発明に係る第１の側面である入院患者管理システムは、入院患者の室内環境の好みの入力を受け付け、第１のサーバ装置とのチャットにより該入院患者に適した病室の検索を前記第１のサーバ装置に依頼する端末装置と、前記第１のサーバ装置からの依頼に基づいて、前記入院患者に適した病室を検索する第２のサーバ装置とを備え、前記第２のサーバ装置は、前記室内環境の情報を定期的に更新する病室情報更新部と、前記入院患者の室内環境の好みと、前記室内環境の情報とに基づいて、複数の病室の中から前記入院患者の前記室内環境の好みとの差異が小さい病室を抽出する病室検索部とを含む入院患者管理システムである。
【０００８】
本発明に係る第２の側面である入院患者管理方法は、コンピュータが、室内環境の情報を定期的に収集して更新し、外部装置から入院患者の室内環境の好みを示す情報を含む病室の検索依頼を受信した場合に、前記入院患者の室内環境の好みと、前記室内環境の情報とに基づいて、前記入院患者の前記室内環境の好みとの差異が小さい病室を抽出し、抽出した前記病室を示す情報を前記外部装置に返信する処理を実行する入院患者管理方法である。
【発明の効果】
【０００９】
上述の態様によれば、入院患者を該患者の室内環境の好みに適した病室に入室させることが可能となる。
【図面の簡単な説明】
【００１０】
【図１】一実施形態に係る入院患者管理システムの構成例を示す図である。
【図２】病棟サーバの機能構成を示す図である。
【図３】端末情報の内容を示す図である。
【図４】病室情報ＤＢの内容を示す図である。
【図５】要素変換テーブルの内容を示す図である。
【図６】病室情報の収集方法を説明するシーケンス図である。
【図７】入院患者に適した病室を検索する際に行われる処理を説明するシーケンス図である。
【図８】病室の好適度の算出方法の一例を説明するフローチャートである。
【図９】入院患者の情報を登録する際の端末装置の画面遷移の例を説明する図である。
【図１０Ａ】入院患者に適した病室を検索する際の端末装置の画面遷移の例を説明する図（その１）である。
【図１０Ｂ】入院患者に適した病室を検索する際の端末装置の画面遷移の例を説明する図（その２）である。
【図１０Ｃ】入院患者に適した病室を検索する際の端末装置の画面遷移の例を説明する図（その３）である。
【図１１】病室を決定した後で行われる処理の一例を説明するシーケンス図である。
【図１２Ａ】入院患者向けの端末装置の画面遷移の例を説明する図（その１）である。
【図１２Ｂ】入院患者向けの端末装置の画面遷移の例を説明する図（その２）である。
【図１３】コンピュータのハードウェア構成を示す図である。
【発明を実施するための形態】
【００１１】
図１は、一実施形態に係る入院患者管理システムの構成例を示す図である。
図１のように、本実施形態の入院患者管理システム１は、病棟サーバ２、病棟クライアント３、センサ用ゲートウェイ装置（ＧＷ装置）４（４Ａ及び４Ｂ）、センサ装置５（５Ａ及び５Ｂ）、職員用の端末装置６、入院患者向けの端末装置７（７Ａ及び７Ｂ）、外部情報受配信装置８、ベッドサイドサーバ９、及びチャットサーバ１０を含む。
【００１２】
入院患者管理システム１における病棟サーバ２、病棟クライアント３、センサ用ゲートウェイ装置４、外部情報受配信装置８、及びベッドサイドサーバ９は、それぞれ、院内ネットワーク１１に接続される。また、入院患者管理システム１におけるセンサ装置５は、センサ用ゲートウェイ装置４を介して院内ネットワーク１１に接続される。なお、院内ネットワーク１１に接続された外部情報受配信装置８は、インターネット等の通信ネットワーク（院外ネットワーク）１２とも接続されている。すなわち、院内ネットワーク１１に接続された病棟サーバ２等の通信機器は、外部情報受配信装置８を介して、院外ネットワーク１２に接続された通信機器（例えば、チャットサーバ１０、職員向けの端末装置６、及び入院患者向けの端末装置７等）との通信を行うことが可能になっている。
【００１３】
病棟サーバ２は、病棟（病室）に関する各種情報の収集及び管理を行うサーバ装置である。また、本実施形態に係る病棟サーバ２は、収集した各種情報を利用した各種のデータ処理（例えば、入院患者に適した病室を検索する処理等）を行う。
【００１４】
病棟クライアント３は、病棟サーバ２で管理する情報の入力及び出力（閲覧）を行う端末装置である。病棟クライアント３は、院内ネットワーク１１に接続された端末装置（クライアント）の１つである。なお、病棟クライアント３は、１個に限らず、複数個であってもよい。
【００１５】
ベッドサイドサーバ９は、病棟サーバ２及びチャットサーバ１０と連携し、入院患者向けの端末装置７への各種情報の配信、患者等が入院患者向けの端末装置７を操作して入力した各種情報の収集及び管理等を行うサーバ装置である。
【００１６】
外部情報受配信装置８は、院内ネットワーク１１に接続された通信機器から院外ネットワーク１２に接続された通信機器に対し各種情報を配信する処理、及び院外ネットワーク１２に接続された通信機器から院内ネットワーク１１に接続された通信機器に向けて送信された各種情報を受信して転送する処理を含む各種処理を行う情報処理装置である。外部情報受配信装置８は、例えば、院内ネットワーク１１に接続された第１の情報処理装置（図示せず）と、第１の情報処理装置及び院外ネットワーク１２に接続された第２の情報処理装置（図示せず）とを含む。
【００１７】
センサ用ゲートウェイ装置４は、所定の通信プロトコル（通信規格）に従ってセンサ装置５と通信を行い、センサ装置５が収集したセンサデータを院内ネットワーク１１の病棟サーバ２に転送する。センサ装置５は、ＩｏＴ（Internet of Things）デバイスの一種であり、例えば、温度、湿度、照度、及び音（騒音レベル）のいずれかを計測するセンサユニットと、センサ用ゲートウェイ装置４との通信を行う通信ユニットとを含む。病院内の複数の病室には、それぞれ、例えば、温度を計測するセンサ装置、湿度を計測するセンサ装置、照度を計測するセンサ装置、及び音を計測するセンサ装置の４個のセンサ装置を設置する（例えば図２を参照）。センサ用ゲートウェイ装置４は、例えば、病院内の複数の病室のそれぞれに設置する。この場合、１個のセンサ用ゲートウェイ装置４は、該装置が設置された病室内の４個のセンサ装置のそれぞれからセンサデータ（温度、湿度、照度、及び騒音レベルのデータ）を取得し、病棟サーバ２に転送する。
【００１８】
職員用の端末装置６は、病院の職員が、入院患者に関する各種情報の入力及び閲覧等に使用する端末装置である。職員用の端末装置６は、病院の入院窓口等に、病院の職員のみが使用可能な状態で設置される。職員用の端末装置６は、例えば、院外ネットワーク１２を介して、病院外に設置されたチャットサーバ１０（クラウドサーバ）等のサーバ装置、並びに院内ネットワーク１１の外部情報受配信装置８及び病棟サーバ２等の通信機器との通信を行うことが可能な通信機能を持つ。
【００１９】
入院患者向けの端末装置７は、入院患者が、病院職員から配信される各種情報の閲覧、及び病院職員に対するメッセージ等の入力に使用する端末装置である。入院患者向けの端末装置７は、例えば、該入院患者が使用しているベッドの近傍に設置される。
【００２０】
チャットサーバ１０は、病院職員や入院患者が端末装置６，７のチャットアプリを実行した際に、病院職員や入院患者が端末装置６，７に入力した文章（問い合わせ文）に対し自動応答をするサーバ装置（チャットボット）である。本実施形態に係るチャットサーバ１０は、例えば、職員用の端末装置６から入院患者の室内環境の好みに適した病室の検索依頼を受けると、病棟サーバ２に病室の検索を依頼し、該病棟サーバ２からの検索結果を職員用の端末装置６に転送する。
【００２１】
本実施形態の入院患者管理システム１における病棟サーバ２は、入院患者の室内環境の好みと各病室の環境に関する情報とに基づいて、入院患者の好みに合った病室を検索する。また、本実施形態に係る病棟サーバ２は、既入院患者に対するメッセージを配信する際に、該メッセージを配信する（送信する）端末装置を特定する。
【００２２】
図２は、病棟サーバの機能構成を示す図である。
図２のように、本実施形態に係る病棟サーバ２は、データ処理部２１０と、通信部２２０と、記憶部２９０とを含む。
【００２３】
データ処理部２１０は、各病室に関する情報を更新する処理、入院患者の室内環境の好みに合った病室を検索する処理、及びメッセージを配信する端末装置を特定する処理を含む、各種のデータ処理を行う。データ処理部２１０は、病室情報更新部２１１と、病室検索部２１２と、広報端末特定部２１３とを含む。
【００２４】
病室情報更新部２１１は、記憶部２９０に記憶させた病室情報データベース（病室情報ＤＢ）２９２内の各病室に関する情報を更新する。病室情報更新部２１１は、例えば、職員用の端末装置６及び病棟クライアント３等から受信した入院患者の情報に基づいて、各病室の入院患者の情報を更新する。また、病室情報更新部２１１は、例えば、センサ用ゲートウェイ装置（ＧＷ装置）４から受信したセンサデータに基づいて、各病室の環境情報（平均温度、平均湿度、平均照度、及び平均騒音レベル）を更新する。
【００２５】
病室検索部２１２は、職員用の端末装置６から受信した入院患者の室内環境の好みと、記憶部２９０に記憶させた要素変換テーブル２９３及び病室情報データベース２９２内の各病室の環境情報とに基づいて、該入院患者に適した病室を検索する。病室検索部２１２は、例えば、要素変換テーブル２９３に基づいて入院患者の感覚的な室内環境の好みを数値化し、数値化した室内環境の好みと病室の環境情報との差分に基づいて入院患者に対する各病室の好適度を算出する。病室検索部２１２は、算出した好適度が高い順に所定数の病室を抽出し、通信部２２０を介して該抽出結果を職員用の端末装置６に通知する。
【００２６】
広報端末特定部２１３は、入院患者向け端末装置７に対し各種メッセージを配信する際に、病室情報データベース２９２内の入院患者の情報等に基づいて、メッセージを配信する端末装置７を特定する。広報端末特定部２１３は、例えば、新たに入院する患者の病室を決定し該病室の既入院患者に対して新たに入室する患者がいることを通知する場合に、通知をする入院患者向け端末装置７を特定する。
【００２７】
通信部２２０は、病棟サーバ２と、他の通信機器との間での各種情報の送受信を行う。通信部２２０は、例えば、病棟クライアント３及び職員用の端末装置６が病棟サーバ２に向けて送信した患者に関する情報を受信する。また、通信部２２０は、例えば、センサ用ゲートウェイ装置（ＧＷ装置）４が病棟サーバ２に向けて送信したセンサデータを受信する。また、通信部２２０は、チャットサーバ１０が病棟サーバ２に向けて送信した病室の検索依頼を受信するとともに、検索結果をチャットサーバ１０に向けて送信する。更に、通信部２２０は、例えば、職員用の端末装置６が病棟サーバ２に向けて送信した入院患者の情報を受信するとともに、該入院患者の情報を通知する入院患者向け端末装置７を示す情報を院内ネットワーク１１のベッドサイドサーバ９（図１を参照）に送信する。
【００２８】
記憶部２９０は、端末情報２９１、病室情報データベース（病室情報ＤＢ）２９２、要素変換テーブル２９３、及び病室画像２９４を含む、各種の情報を記憶する。端末情報２９１は、複数のセンサ用ゲートウェイ装置４のそれぞれを識別する情報と、複数の入院患者向け端末装置７のそれぞれを識別する情報とを含む。病室情報データベース２９２は、各病室の、入院患者に関する情報と、病室内の環境に関する情報とを含む。入院患者に関する情報は、例えば、患者ＩＤ、及び使用している入院患者向け端末装置７の装置ＩＤを含む。環境に関する情報は、病室内の平均温度、平均湿度、平均騒音レベル、及び平均照度を含む。要素変換テーブル２９３は、入院患者の感覚的な室内環境の好みと環境に関する数値とを対応付けた定義を含む。例えば、要素変換テーブル２９３は、部屋の温度に対する患者の「寒がり（寒いのが苦手）」、「あまり気にしない」、及び「暑がり（暑いのが苦手）」という感覚的な好みのそれぞれを、第１の室温、第２の室温（＜第１の温度）、及び第３の室温（＜第２の温度）と対応付けている。病室画像２９４は、病院内の各病室の画像である。
【００２９】
ここで、図３、図４、及び図５を参照し、本実施形態に係る病棟サーバ２の記憶部２９０に記憶させる端末情報２９１、病室情報データベース（病室情報ＤＢ）２９２、及び要素変換テーブル２９３のそれぞれの内容を具体的に説明する。
【００３０】
図３は、端末情報の内容を示す図である。図４は、病室情報ＤＢの内容を示す図である。図５は、要素変換テーブルの内容を示す図である。
【００３１】
病棟サーバ２の記憶部２９０に記憶させる端末情報２９１は、図３のように、識別する装置の装置ＩＤと、装置種別と、設置位置（部屋名）とを含む。装置ＩＤは、複数のセンサ用ゲートウェイ装置（ＧＷ装置）４のそれぞれ、及び複数の入院患者向け端末装置７のそれぞれを一意に識別する情報である。図３の端末情報２９１では、複数のセンサ用ゲートウェイ装置４の装置ＩＤのそれぞれを「GW_Room」＋「設置位置を示す情報」とし、複数の入院患者向け端末装置７の装置ＩＤのそれぞれを「Tablet_」＋「通し番号」としている。端末情報２９１は、複数のセンサ用ゲートウェイ装置４のそれぞれからセンサ情報を受信した際の、受信したセンサ情報と該センサ情報を取得した病室との対応付けに利用する。
【００３２】
病棟サーバ２の記憶部２９０に記憶させる病室情報データベース（病室情報ＤＢ）２９２は、図４のように、第１の病室情報２９２Ａ、第２の病室情報２９２Ｂ、及び第３の病室情報２９２Ｃを含む。
【００３３】
第１の病室情報２９２Ａは、各病室の入院患者に関する情報であり、各病室の部屋名、ベッド番号、装置ＩＤ、患者ＩＤ、及び特記事項を含む。ベッド番号は、例えば、複数の入院患者が入院生活を送る１つの部屋における、複数台のベッドを識別する番号である。装置ＩＤは、各ベッドの近傍に設置された入院患者向け端末装置７を識別する情報である。患者ＩＤは、ベッドを使用している入院患者を識別する情報である。特記事項は、患者の部屋（室内環境）の好み等の情報である。第１の病室情報２９２Ａは、例えば、新たに患者が入院する際や既入院患者が病室を変わる際にメッセージを送信する入院患者向け端末装置７の特定に利用する。
【００３４】
第２の病室情報２９２Ｂは、複数のセンサ用ゲートウェイ装置４のそれぞれから受信したセンサデータの履歴であり、各病室の部屋名、温度、湿度、騒音レベル、及び照度を含む。第２の病室情報２９２Ｂには、センサ用ゲートウェイ装置４から受信した温度、湿度、騒音レベル、及び照度の４個１組のセンサデータが、所定の期間分だけ格納される。第２の病室情報２９２Ｂは、各病室の環境に関する平均値の算出に利用する。
【００３５】
第３の病室情報２９２Ｃは、各病室の特徴を示す情報であり、部屋名、写真ファイルパス、平均室温、平均湿度、平均騒音レベル、平均照度、及び使用料金を含む情報が格納されている。写真ファイルパスは、病室の画像のファイル名及び保管場所を示す情報である。平均室温、平均湿度、平均騒音レベル、及び平均照度は、それぞれ、第２の病室情報２９２Ｂに基づいて算出した室温、湿度、騒音レベル及び照度の平均値である。使用料金は、例えば、１日当たりの差額ベッド代である。
【００３６】
病棟サーバ２の記憶部２９０に記憶させる要素変換テーブル２９３は、図５のように、病室の環境に関する項目毎に、要素名と変換値とが対応付けられている。要素名は、環境に関する項目についての感覚的な好みを示す。変換値は、感覚的な好みと対応する環境項目の数値である。
【００３７】
例えば、温度についての患者の感覚的な好みは、「寒がり（寒いのが苦手）」、「あまり気にしない」、及び「暑がり（暑いのが苦手）」の３通りに大別される。寒いのが苦手な患者は病室内の温度が高めの環境を好み、暑いのが苦手な患者は室内の温度が低めの環境を好む。このため、要素変換テーブル２９３では、例えば、「あまり気にしない」と対応付ける温度を基準として各要素名と対応する温度（数値）を設定する。例えば、現時点での病院内の基本的な設定温度が２３℃となっている場合、該設定温度を「あまり気にしない」と対応付ける。この場合、「寒がり」と対応付ける変換値は、「あまり気にしない」と対応付けた設定温度よりも高い温度（図５では２５℃）とする。また、「暑がり」と対応付ける変換値は、「あまり気にしない」と対応付けた設定温度よりも低い温度（図５では２１℃）とする。
【００３８】
また、湿度についての患者の感覚的な好みは、「しっとり（高め）」、「ドライ（低め）」、及び「あまり気にしない」の３通りに大別される。乾燥した環境が苦手な患者は湿度が高めのしっとりした環境を好み、湿気が苦手な患者は湿度が低めのドライな環境を好む。このため、要素変換テーブル２９３では、例えば、「あまり気にしない」と対応付ける湿度を基準として各要素名と対応する湿度（数値）を設定する。例えば、現時点での病院内の基本的な設定湿度が５５％となっている場合、該設定湿度を「あまり気にしない」と対応付ける。この場合、「しっとり」と対応付ける変換値は、「あまり気にしない」と対応付けた設定湿度よりも高い湿度（図５では６０％）とする。また、「ドライ」と対応付ける変換値は、「あまり気にしない」と対応付けた設定湿度よりも低い湿度（図５では５０％）とする。
【００３９】
また、騒音レベルについての患者の感覚的な好みは、「にぎやか（高め）」、「静か（低め）」、及び「あまり気にしない」の３通りに大別される。例えば、他の患者や病院職員等と積極的に会話をする患者は病室内の騒音レベル（音圧レベル）が高めのにぎやかな環境を好む。また、例えば、他の患者や病院職員等との会話が苦手な患者や読書等に集中したい患者は病室内の騒音レベルが低めの静かな環境を好む。このため、要素変換テーブル２９３では、例えば、「あまり気にしない」と対応付ける騒音レベルを基準として各要素名と対応する騒音レベル（数値）を設定する。例えば、現時点での病院内の平均的な騒音レベルが３０ｄＢとなっている場合、該騒音レベルを「あまり気にしない」と対応付ける。この場合、「にぎやか」と対応付ける変換値は、「あまり気にしない」と対応付けた騒音レベルよりも高い騒音レベル（図５では４０ｄＢ）とする。また、「静か」と対応付ける変換値は、「あまり気にしない」と対応付けた騒音レベルよりも低い騒音レベル（図５では２０ｄＢ）とする。
【００４０】
また、明るさ（照度）についての患者の感覚的な好みは、「明るめ」、「暗め」、及び「あまり気にしない」の３通りに大別される。このため、要素変換テーブル２９３では、例えば、「あまり気にしない」と対応付ける照度を基準として各要素名と対応する照度（数値）を設定する。例えば、現時点での病院内の基本的な設定照度が１５０ｌｘとなっている場合、該設定照度を「あまり気にしない」と対応付ける。この場合、「明るめ」と対応付ける変換値は、「あまり気にしない」と対応付けた設定照度よりも高い照度（図５では２００ｌｘ）とする。また、「暗め」と対応付ける変換値は、「あまり気にしない」と対応付けた設定照度よりも低い照度（図５では１００ｌｘ）とする。
【００４１】
なお、要素変換テーブル２９３における上記の変換値の値は、適宜変更可能である。例えば、室温及び湿度の各要素名に対する変換値は、季節に応じて変更してもよい。また、例えば、１つ項目における要素名間の変換値の差は、図５に示した差よりも大きくしてもよいし、小さくしてもよい。更に、１つの項目における要素名は３個に限らず、４個以上であってもよい。
【００４２】
本実施形態に係る入院患者管理システム１では、病室の環境についての入院患者の感覚的な好みを要素変換テーブル２９３により数値化し、該数値化した好みと各病室の環境情報とに基づいて、入院患者の好みに適した病室を検索する。各病室の環境情報は、病室の平均室温、平均湿度、平均騒音レベル、及び平均照度を含む。これら各病室の環境情報は、上記のように、病室情報データベース２９２の第３の病室情報２９２Ｃに含まれる（図４を参照）。次に、図６を参照し、病室情報の収集方法について説明する。
【００４３】
図６は、病室情報の収集方法を説明するシーケンス図である。
入院患者管理システム１では、図６のように、センサ用ゲートウェイ装置（ＧＷ装置）４が、病室に設置したセンサ装置５からセンサデータを取得し病棟サーバ２に送信するループ処理（ステップＳ１１〜Ｓ１４）を定期的に実行する。１個のセンサ用ゲートウェイ装置４は、例えば、毎日、午前７時００分から午後９時００分までの期間、Ｋ分毎にループ処理を実行する。ループ処理を実行する時間間隔（Ｋ分）は適宜設定すればよく、例えば、十分から数十分程度であってもよいし、１時間から数時間程度であってもよい。
【００４４】
ループ処理の始端（ステップＳ１１）では、センサ用ゲートウェイ装置４は、例えば、自装置内の時刻情報又は設定したタイマーに基づいてループ処理を開始するタイミングが到来するのを待つ。ループ処理を開始するタイミングが到来すると、センサ用ゲートウェイ装置４は、センサ装置から温度、湿度、騒音レベル、及び照度のセンサデータを取得する（ステップＳ１２）。
【００４５】
図６には示していないが、例えば、センサ装置５は、センサ用ゲートウェイ装置４がループ処理を開始するタイミングと同期してセンサ用ゲートウェイ装置４にアクセスし、センサ用ゲートウェイ装置４との接続を確立する。例えば、図６のセンサ用ゲートウェイ装置４（ＧＷ装置）は、装置ＩＤが「ＧＷ＿ＲｏｏｍＡ」である。このため、Ａ号室に設置されたセンサ装置５（例えば、図２の温度センサ５０１Ａ、湿度センサ５０２Ａ、照度センサ５０３Ａ、及び騒音センサ５０４Ａ）は、センサ用ゲートウェイ装置４がループ処理を開始するタイミングが到来すると、装置ＩＤが「ＧＷ＿ＲｏｏｍＡ」であるセンサ用ゲートウェイ装置４との接続を確立する。センサ装置５とセンサ用ゲートウェイ装置４との接続が確立すると、センサ装置５は、自装置で収集したセンサデータをセンサ用ゲートウェイ装置４に送信する。１個のセンサ装置５は、温度、湿度、騒音レベル、及び照度のいずれか１種類のセンサデータのみを収集する装置であってもよいし、複数種類のセンサデータを収集可能な装置であってもよい。
【００４６】
ステップＳ１２の処理の後、センサ用ゲートウェイ装置４は、センサ装置５から取得したセンサデータを病棟サーバ２に送信する（ステップＳ１３）。ステップＳ１３の処理において、センサ用ゲートウェイ装置４は、自身の装置ＩＤと、センサ装置５から取得した温度、湿度、騒音レベル、及び照度のセンサデータとを含む病室情報を病棟サーバ２に送信する。
【００４７】
ステップＳ１３の処理の後、センサ用ゲートウェイ装置４は、ループ処理の終端（ステップＳ１４）において、例えば、現在の時刻がループ処理を終了する時刻よりも前であるか否かを判定する。現在の時刻がループ処理を終了する時刻よりも前である場合、センサ用ゲートウェイ装置４は、ループ処理の始端（ステップＳ１１）に戻り、次のループ処理を開始するタイミングが到来するのを待つ。現在の時刻がループ処理を終了する時刻に到達しているか又は過ぎている場合、センサ用ゲートウェイ装置４は、ループ処理を終了する。
【００４８】
このように、センサ用ゲートウェイ装置４は、所定の時間間隔で、病室内の環境を示すセンサデータを取得し病棟サーバ２に送信する処理を繰り返す。なお、図６には１個のセンサ用ゲートウェイ装置４（４Ａ）のみを示しているが、複数の病室のそれぞれにセンサ用ゲートウェイ装置４が設置されている場合（図１を参照）、複数のセンサ用ゲートウェイ装置４のそれぞれが、センサデータを取得して病棟サーバ２に送信するループ処理（Ｓ１１〜Ｓ１４）を行う。
【００４９】
一方、センサデータを収集する病棟サーバ２は、センサ用ゲートウェイ装置４からのセンサデータを含む病室情報を受信すると、記憶部２９０の端末情報２９１を参照して病室情報に含まれる装置ＩＤを部屋名に変換する（ステップＳ２１）。ステップＳ２１の処理は、例えば、病棟サーバ２のデータ処理部２１０における病室情報更新部２１１が行う。図６のセンサ用ゲートウェイ装置４の装置ＩＤは「ＧＷ＿ＲｏｏｍＡ」である。このため、図３のような端末情報２９１を記憶部２９０に記憶させている場合、病室情報更新部２１１は、「ＧＷ＿ＲｏｏｍＡ」という装置ＩＤを「Ａ号室」という部屋名に変換する。
【００５０】
次に、病棟サーバ２は、受信した病室情報に含まれるセンサデータを、変換した部屋名と対応付けて病室情報データベース２９２の第２の病室情報（環境情報履歴）２９２Ｂに格納する（ステップＳ２２）。ステップＳ２２の処理は、例えば、病室情報更新部２１１が行う。
【００５１】
次に、病棟サーバ２は、環境情報履歴に基づいて病室情報を更新する（ステップＳ２３）。ステップＳ２３の処理は、病室情報更新部２１１が行う。病室情報更新部２１１は、例えば、病室情報ＤＢ２９２の第２の病室情報２９２Ｂ（図４を参照）に格納された部屋毎のセンサデータの履歴に基づいて、各部屋の平均温度、平均湿度、平均騒音レベル、及び平均照度を算出する。また、病室情報更新部２１１は、病室情報ＤＢ２９２の第３の病室情報２９２Ｃ（図４を参照）に含まれる各部屋の病室情報（レコード）のそれぞれにおける、平均温度、平均湿度、平均騒音レベル、及び平均照度のそれぞれを算出した値に更新する。
【００５２】
なお、ステップＳ２３の処理は、センサデータを含む病院情報を受信する毎に限らず、例えば、１日に１回から数回、センサデータを収集するタイミングとは別に設定されたタイミングで行うようにしてもよい。
【００５３】
このように、本実施形態に係る入院患者管理システム１では、各病室の環境を示す情報（温度、湿度、騒音レベル、及び照度）を定期的に収集し、病室情報ＤＢ２９２の第３の病室情報２９２Ｃに含まれる各病室の環境情報を更新する。病室情報ＤＢ２９２の第３の病室情報２９２Ｃは、例えば、上記のように、病室内の環境についての入院患者の感覚的な好みに適した病室を検索することに利用する。入院患者の好みに適した病室の検索は、例えば、職員用の端末装置６を利用して行う。職員用の端末装置６のオペレータ（病院職員）は、例えば、端末装置６のチャット機能を利用してチャットサーバ１０に病室の検索を依頼する。次に、図７を参照して、入院患者に適した病室を検索する際に入院患者管理システム１で行われる処理を説明する。
【００５４】
図７は、入院患者に適した病室を検索する際に行われる処理を説明するシーケンス図である。
【００５５】
入院患者に適した病室を検索する場合、職員用の端末装置６は、まず、入院患者の部屋の好みの登録を受け付ける（ステップＳ３１）。職員用の端末装置６のオペレータは、例えば、入院する部屋（病室）の環境（温度、湿度、音の大きさ、及び明るさ等）についての好みや希望を聞き取り、入院患者を識別する患者ＩＤと部屋の好みや希望とを職員用の端末装置６に入力し、利用者情報の１つとして登録する。なお、職員用の端末装置６に部屋の好みや希望を入力する操作は、例えば、病院職員による監視のもと、入院患者本人が行ってもよい。
【００５６】
ステップＳ３１の処理の後、職員用の端末装置６は、チャットサーバ１０に病室の検索を依頼し入院患者の部屋の好みを送信する（ステップＳ３２）。このとき、チャットサーバ１０は、職員用の端末装置６からの検索の依頼を受け付け、入院患者の部屋の好みを取得する（ステップＳ３３）。ステップＳ３１の処理の後、職員用の端末装置６のオペレータは、まず、端末装置６のチャット機能（チャットアプリ）を起動させ、該端末装置６をチャットサーバ１０に接続させる。その後、職員用の端末装置６のオペレータは、該端末装置６を操作し、病室の検索を依頼するメッセージをチャットサーバ１０に送信する。このとき、チャットサーバ１０は、職員用の端末装置６からの検索の依頼を受け付け、依頼を受け付けたことを通知する返信メッセージを職員用の端末装置６に送信する。チャットサーバ１０からの返信メッセージを受信した端末装置６は、該返信メッセージを表示部に表示する。職員用の端末装置６のオペレータは、表示部に表示された返信の内容を確認した後、該端末装置６を操作し、入院患者の患者ＩＤ及び入院患者の部屋（室内環境）の好みを含む検索条件をチャットサーバ１０に送信する。検索条件を送信した後、職員用の端末装置６は、チャットサーバ１０からの検索結果を待つ。
【００５７】
職員用の端末装置６とのチャット（ステップＳ３３）により入院患者に適した病室の検索条件を取得したチャットサーバ１０は、検索条件に含まれる部屋の好みを病棟サーバ２に転送し（ステップＳ３４）、入院患者に対する各部屋の好適度の算出を依頼する。その後、チャットサーバ１０は、病棟サーバ２からの回答を待つ。
【００５８】
チャットサーバ１０からの好適度の算出依頼を受信すると、病棟サーバ２は、まず、要素変換テーブル２９３を参照して部屋の好みを数値に変換する（ステップＳ３５）。ステップＳ３５の処理は、病棟サーバ２のデータ処理部２１０における病室検索部２１２が行う。病室検索部２１２は、要素変換テーブル２９３（図４を参照）の項目毎に、チャットサーバ１０から受信した入院患者の感覚的な部屋の好みを対応する変換値に変換する。例えば、チャットサーバ１０から受信した入院患者の感覚的な部屋の好みにおける温度の好みが「寒がり」である場合、病室検索部２１２は、該入院患者の温度の好みを「寒がり」と対応する「２５（℃）」に変換する。
【００５９】
ステップＳ３５の処理を終えると、病棟サーバ２は、次に、変換後の数値と病室情報とに基づいて、各病室の好適度を算出する（ステップＳ３６）。ステップＳ３６の処理は、例えば、病室検索部２１２が行う。病室検索部２１２は、病室情報ＤＢ２９２に含まれる第３の病室情報２９２Ｃにおける各部屋の環境情報（レコード）毎に、感覚的な好みを変換した数値と現在の病室の環境との差分を算出し、該差分の大きさに基づいて好適度を算出する。具体的には、病室検索部２１２は、項目毎に感覚的な好みを変換した数値と現在の病室の環境との差分に基づいて減点値を算出し、各項目の減点値を好適度の最大スコア（例えば１００）から減算して好適度を算出する。この場合、感覚的な好みを変換した数値と現在の病室の環境との差分が大きいほど減点値の絶対値が大きくなるようにすることで、入院患者の部屋の好みとの差異が大きい病室の好適度は、差異が小さい病室の好適度よりも低い値となる。
【００６０】
ステップＳ３６の処理を終えると、病棟サーバ２は、好適度の算出結果に基づいて回答画面を作成し該画面のアドレスをチャットサーバ１０に通知する（ステップＳ３７）。ステップＳ３７の処理は、病棟サーバ２の病室検索部２１２が通信部２２０と連携して行う。ステップＳ３７の処理では、病室検索部２１２は、例えば、算出した好適度が最も大きい病室から順に上位３件の病室を抽出し、抽出した各病室の好適度、項目毎の患者の好みとの差異、病室の写真、及び使用料金を含む回答画面を作成し、該回答画面の格納場所を示すアドレス（例えば、ＵＲＬ（Uniform Resource Locator））をチャットサーバ１０に通知する。回答画面のアドレスをチャットサーバ１０に通知すると、病棟サーバ２は、チャットサーバ１０からの依頼に対する処理を終了する。
【００６１】
病棟サーバ２からの通知（回答）を受信すると、チャットサーバ１０は、例えば、通知されたアドレスに基づいて回答画面を取得し、該回答画面を職員用の端末装置６に転送する（ステップＳ３８）。チャットサーバ１０からの回答画面を受信すると、職員用の端末装置６は、回答画面を表示する（ステップＳ３９）。このとき、チャットサーバ１０は、例えば、職員用の端末装置６から依頼された病室の検索が終了したことを示すメッセージとともに、回答画面を職員用の端末装置６に送信する。この場合、職員用の端末装置６は、例えば、病室の検索が終了したことを示すメッセージと回答画面を表示させる表示ボタンとを表示部に表示させる。そして、病院職員等のオペレータが表示部に表示された表示ボタンを押すと、端末装置６は、回答画面を表示する。なお、ステップＳ３８及びＳ３９の処理の内容は、適宜変更可能である。例えば、チャットサーバ１０は病室の検索が終了したことを示すメッセージと回答画面のアドレスとを含む情報を職員用の端末装置６に送信し、職員用の端末装置６がアドレスに基づいて回答画面を取得する内容であってもよい。
【００６２】
このように、本実施形態に係る入院患者管理システム１では、職員用の端末装置６のチャット機能を利用して入院患者の部屋（室内環境）の好みに適した病室を検索することができる。なお、病室を検索する処理は、上記のように、チャットサーバ１０からの依頼を受けた病棟サーバ２が行う。病棟サーバ２は、入院患者の感覚的な部屋（室内環境）の好みを数値化し、数値化した入院患者の好みと病室の環境についての情報とに基づいて各病室の好適度を算出する。病室の好適度を算出する処理は、例えば、病棟サーバ２の病室検索部２１２が行う。病室検索部２１２は、病室の好適度を算出する処理として、例えば、図８のフローチャートに沿った処理を行う。
【００６３】
図８は、病室の好適度の算出方法の一例を説明するフローチャートである。
病室の好適度を算出する処理（図７のステップＳ３６）では、病室検索部２１２は、図８のように、好適度の算出の対象となる病室毎に好適度を算出するループ処理（ステップＳ４１〜Ｓ４８）を行う。
【００６４】
ループ処理の始端（ステップＳ４１）では、病室検索部２１２は、例えば、好適度の算出の対象となる病室のうち好適度を算出していない病室の１つを選択する。第３の病室情報２９２Ｃが図４のような形式である場合、病室検索部２１２は、第３の病室情報２９２Ｃにおける各行の情報（レコード）を上から順に１つずつ選択する。
【００６５】
次に、病室検索部２１２は、病室情報ＤＢ２９２の第３の病室情報２９２Ｃから現在選択されている１つの病室情報を読み込む（ステップＳ４２）。このとき、病室検索部２１２は、例えば、１つの病室情報のうち部屋名、平均室温ＡＴ、平均湿度ＡＨ、平均騒音レベルＡＮ、及び平均照度ＡＬの５個の情報を読み込む。
【００６６】
次に、病室検索部２１２は、入院患者の温度の好みＴ０と病室の平均室温ＡＴとに基づいて、温度の減点値ＳＴを算出する（ステップＳ４３）。入院患者の温度の好みＴ０は、ステップＳ３５の変換処理により得た、入院患者の感覚的な温度の好みと対応する数値である。例えば、入院患者の感覚的な温度の好みが「寒がり」である場合、入院患者の温度の好みＴ０は２５（℃）となる。温度の減点値ＳＴは、例えば、下記数式（１）により算出する。
【００６７】
ＳＴ＝ｍａｘ（｜Ｔ０−ＡＴ｜×２，２０）      （１）
数式（１）は、｜Ｔ０−ＡＴ｜×２及び２０のうちの大きい方の値を減点値ＳＴに採用する数式である。
【００６８】
次に、病室検索部２１２は、入院患者の湿度の好みＨ０と病室の平均湿度ＡＨとに基づいて、湿度の減点値ＳＨを算出する（ステップＳ４４）。入院患者の湿度の好みＨ０は、ステップＳ３５の変換処理により得た、入院患者の感覚的な湿度の好みと対応する数値である。例えば、入院患者の感覚的な湿度の好みが「しっとり」である場合、入院患者の湿度の好みＨ０は６０（％）となる。湿度の減点値ＳＨは、例えば、下記数式（２）により算出する。
【００６９】
ＳＨ＝ｍａｘ（｜Ｈ０−ＡＨ｜，２０）      （２）
数式（２）は、｜Ｈ０−ＡＨ｜及び２０のうちの大きい方の値を減点値ＳＨに採用する数式である。
【００７０】
次に、病室検索部２１２は、入院患者の音に関する好みＮ０と病室の平均騒音レベルＡＮとに基づいて、音の減点値ＳＮを算出する（ステップＳ４５）。入院患者の音に関する好みＮ０は、ステップＳ３５の変換処理により得た、入院患者の感覚的な音の好みと対応する数値である。例えば、入院患者の感覚的な音の好みが「静か」である場合、入院患者の音に関する好みＮ０は２０（ｄＢ）となる。音の減点値ＳＮは、例えば、下記数式（３）により算出する。
【００７１】
ＳＮ＝ｍａｘ（｜Ｎ０−ＡＮ｜／５，２０）      （３）
数式（３）は、｜Ｎ０−ＡＮ｜／５及び２０のうちの大きい方の値を減点値ＳＮに採用する数式である。
【００７２】
次に、病室検索部２１２は、入院患者の明るさの好みＬ０と病室の平均照度ＡＬとに基づいて、明るさの減点値ＳＬを算出する（ステップＳ４６）。入院患者の明るさの好みＬ０は、ステップＳ３５の変換処理により得た、入院患者の感覚的な明るさの好みと対応する数値である。例えば、入院患者の感覚的な明るさの好みが「明るめ」である場合、入院患者の明るさの好みＬ０は２００（ｌｘ）となる。明るさの減点値ＳＬは、例えば、下記数式（４）により算出する。
【００７３】
ＳＬ＝ｍａｘ（｜Ｌ０−ＡＬ｜／１０，２０）      （４）
数式（４）は、｜Ｌ０−ＡＬ｜／１０及び２０のうちの大きい方の値を減点値ＳＬに採用する数式である。
【００７４】
なお、ステップＳ４３〜Ｓ４６の各処理は、図８のフローチャートに示した順番に限らず、どのような順番で行ってもよい。また、病室検索部２１２は、ステップＳ４３〜Ｓ４６の各処理のうちの複数の処理を並列に行ってもよい。
【００７５】
ステップＳ４３〜Ｓ４６の各処理を終えると、病室検索部２１２は、次に、算出した減点値ＳＴ、ＳＨ、ＳＮ、及びＳＬに基づいて現在選択されている病室の好適度ＳＣを算出し、算出した好適度ＳＣと部屋名とを対応付けて保持する（ステップＳ４７）。好適度ＳＣは、例えば、下記数式（５）により算出する。
【００７６】
ＳＣ＝１００−（ＳＴ＋ＳＨ＋ＳＮ＋ＳＬ）      （５）
ステップＳ４７の処理の後、病室検索部２１２は、ループ処理の終端（ステップＳ４８）において、例えば、全対象病室の好適度ＳＣを算出したか否かを判定する。好適度ＳＣを算出していない病室がある場合、病室検索部２１２は、ステップＳ４１以降の処理を繰り返す。対象となっている全ての病室の好適度ＳＣを算出した場合、病室検索部２１２は、病室の好適度を算出する処理を終了する。
【００７７】
なお、減点値ＳＴ、ＳＨ、ＳＮ、及びＳＬは、それぞれ、数式（１）、（２）、（３）、及び（４）に限らず、他の数式により算出してもよい。例えば、減点値ＳＴ、ＳＨ、ＳＮ、及びＳＬの上限値は、２０に限らず、別の値であってもよい。また、減点値ＳＴ、ＳＨ、ＳＮ、及びＳＬの上限値は、項目毎に異なる値であってもよい。
【００７８】
また、好適度ＳＣは、数式（５）に限らず、他の数式により算出してもよい。例えば、好適度ＳＣは、下記数式（６）により算出してもよい。
【００７９】
ＳＣ＝１００−（ＷＴ・ＳＴ＋ＷＨ・ＳＨ＋ＷＮ・ＳＮ＋ＷＬ・ＳＬ）    （６）
数式（６）のＷＴ、ＷＨ、ＷＮ、及びＷＬは、それぞれ、重み係数である。重み係数ＷＴ、ＷＨ、ＷＮ、及びＷＬは、例えば、入院患者の病室の温度、湿度、音、及び明るさの好みに関する優先順位に基づいて設定する。例えば、入院患者が温度や湿度の好みの一致度よりも、音の好みの一致度を優先する場合、音の減点値ＳＮに対する重み係数ＷＮを他の重み係数ＷＴ，ＷＨ，及びＷＬよりも大きな値とし、音の減点値ＳＮの好適度ＳＣへの寄与を大きくする。
【００８０】
このように、本実施形態に係る入院患者管理システム１では、入院患者の病室の環境（室内環境）に関する好みと、各病室の現在の環境を示す情報とに基づいて、入院患者の好みに適した病室を検索する。このため、本実施形態に係る入院患者管理システム１によれば、入院患者の好みと入室した病室の環境との不一致による入院患者の心理的な負担や身体的な負担を軽減することが可能となる。
【００８１】
以下、図９、及び図１０Ａ〜図１０Ｃを参照し、入院患者が入室する病室を決定する処理についての具体例を説明する。
【００８２】
図９は、入院患者の情報を登録する際の端末装置の画面遷移の例を説明する図である。図１０Ａは、入院患者に適した病室を検索する際の端末装置の画面遷移の例を説明する図（その１）である。図１０Ｂは、入院患者に適した病室を検索する際の端末装置の画面遷移の例を説明する図（その２）である。図１０Ｃは、入院患者に適した病室を検索する際の端末装置の画面遷移の例を説明する図（その３）である。
【００８３】
図９には、職員用の端末装置６における初期画面６１０の一例と、入院患者の部屋の好み等の情報（利用者情報）を登録する画面６２０の一例とを示している。職員用の端末装置６における初期画面６１０は、第１のボタン６１１、第２のボタン６１２、第３のボタン６１３、及び第４のボタン６１４を含む。第１のボタン６１１は、入院患者の部屋（室内環境）の好み等の情報（利用者情報）を登録する処理の実行を受け付けるボタンである。第２のボタン６１２は、入院患者に適した病室を検索する処理（チャットサーバ１０とのチャット）の実行を受け付けるボタンである。第３のボタン６１３は、病院内の注意事項の表示を受け付けるボタンである。第４のボタン６１４は、病院の職員、及びフロアマップ等の病院に関する情報の表示を受け付けるボタンである。
【００８４】
職員用の端末装置６は、例えば、タブレット型コンピュータであり、表示装置の表示面にタッチパネルが重ねて配置されている。端末装置６の表示面に初期画面６１０が表示された状態であるときに、病院職員等のオペレータが第１のボタン６１１、第２のボタン６１２、第３のボタン６１３、及び第４のボタン６１４のいずれかを押下する（タッチする）と、端末装置６は、押下したボタンと対応する処理を実行する。例えば、オペレータが第１のボタン６１１を押下すると、端末装置６は、入院患者の部屋の好み等の情報（利用者情報）を登録する処理を実行する（図７のステップＳ３１）。このとき、端末装置６は、図９の右側に示したような利用者情報入力画面６２０を表示する。
【００８５】
利用者情報入力画面６２０は、患者ＩＤを表示する欄６２１と、部屋の好みを選択する複数の選択ボタン６２２ａ〜６２２ｃ、６２３ａ〜６２３ｃ、６２４ａ〜６２４ｃ、及び６２５ａ〜６２５ｃと、登録ボタン６２６と、キャンセルボタン６２７とを含む。患者ＩＤを表示する欄６２１は、例えば、患者ＩＤの入力を受け付けるボタンを兼ねており、病院職員等のオペレータが患者ＩＤを表示する欄６２１を押下する（タッチする）と、端末装置６の表示が利用者情報入力画面６２０から患者ＩＤを入力する画面に切り替わる。図示は省略するが、患者ＩＤを入力する画面には、例えば、患者ＩＤ（数値）を入力する数字キー等が表示される。
【００８６】
部屋の好みを選択する複数の選択ボタン６２２ａ〜６２２ｃ、６２３ａ〜６２３ｃ、６２４ａ〜６２４ｃ、及び６２５ａ〜６２５ｃは、病室の環境についての各項目の感覚的な好みを示す複数通り（図９では３通り）の選択ボタンを含む。例えば、利用者情報入力画面６２０は、温度に関する感覚的な好みを選択する３つの選択ボタン６２２ａ、６２２ｂ、及び６２２ｃを含む。
【００８７】
なお、端末装置６の表示が利用者情報入力画面６２０に切り替わった時点では、複数の選択ボタン６２２ａ〜６２２ｃ、６２３ａ〜６２３ｃ、６２４ａ〜６２４ｃ、及び６２５ａ〜６２５ｃは全て同じ色であり、病院職員等のオペレータが押下した（タッチした）選択ボタンの色が他の色に変化する。例えば、図９の患者ＩＤが「０１２３４５６７８９」である患者は、室温の感覚的な好みが「寒がり（寒いのが苦手）」であり、湿度の感覚的な好みが「ドライ」である。また、この患者は、音に関する感覚的な好みが「にぎやか」であり、明るさの感覚的な好みが「明るめ」である。
【００８８】
図９において、登録すると記載された登録ボタン６２６は入力した患者ＩＤ及び部屋の好みの情報を登録する処理の実行を受け付けるボタンであり、閉じると記載されたキャンセルボタン６２７は入力した患者ＩＤ及び部屋の好みの情報の登録のキャンセルを受け付けるボタンである。病院職員等のオペレータが登録ボタン６２６を押下した場合、端末装置６は、現在入力されている患者ＩＤと部屋の好みとを対応付けて利用者情報として登録し、表示装置の表示を初期画面６１０に切り替える。一方、病院職員等のオペレータがキャンセルボタン６２７を押下した場合、端末装置６は、現在入力されている患者ＩＤ及び部屋の好みの情報を破棄し、表示装置の表示を初期画面６１０に切り替える。
【００８９】
入院患者の感覚的な部屋の好みを登録した後、病院職員等のオペレータが初期画面６１０の第２のボタン６１２を押下すると、端末装置６は、入院患者の好みに適した病室を検索する処理を実行する（図７のステップＳ３２）。このとき、端末装置６は、チャットサーバ１０に対し病室の検索を依頼するチャットメッセージを送信するとともに、図１０Ａの左側に示したようなチャットメッセージ６３１を含む画面６３０に表示を切り替える。チャットサーバ１０は、チャットメッセージを受信し検索の依頼を受け付けると、依頼を受け付けたことを示す返信メッセージを端末装置６に送信する（図７のステップＳ３３）。チャットサーバ１０からの返信メッセージを受信すると、端末装置６は、該返信メッセージを表示する。返信メッセージは、例えば、図１０Ａの右側に示したような患者ＩＤの入力を促す返信メッセージ６３２とする。ここで、オペレータが、例えば、図１０Ａの左側の画面６３０における画面左下のキーパッド表示ボタン（図示せず）を押下すると、図１０Ａの右側の画面６４０のように数字キー６４２と入力値表示欄６４３とを含むキーパッド（ソフトウェアキーボード）６４１が表示される。このとき、オペレータがキーパッド６４１の数字キー６４２を押下すると、端末装置６は、押下した数字キーと対応する数値を入力値表示欄６４３に表示する。そして、オペレータが患者ＩＤを入力した後、キーパッド６４１の右下に表示された確定ボタン（図示せず）を押下すると、端末装置６は、入力値表示欄６４３に表示された数値（患者ＩＤ）の入力の受け付けを確定する。
【００９０】
患者ＩＤの入力の受け付けを確定した後、端末装置６は、例えば、図１０Ｂの左側の画面６５０のように入力された患者ＩＤ６３３を表示するとともに、該患者ＩＤと入院患者の部屋の好みとを含む利用者情報をチャットサーバ１０に送信する。そして、チャットサーバ１０からの返信メッセージを受信すると、端末装置６は、図１０Ｂの左側の画面６５０のようにチャットサーバ１０が検索をしていることを示すメッセージ６３４を表示する。なお、実際に病室を検索しているのは、上記のように、チャットサーバ１０からの依頼を受けた病棟サーバ２である。病棟サーバ２は、図７のステップＳ３５及びＳ３６の処理を行った後、好適度の高い病室を示す回答画面を作成し該回答画面のアドレスをチャットサーバ１０に通知する（ステップＳ３７）。回答画面のアドレスの通知を受けると、チャットサーバ１０は、該アドレスに基づいて回答画面を取得し、該回答画面を職員用の端末装置６に転送する（ステップＳ３８）。
【００９１】
チャットサーバ１０から回答画面を受信すると、職員用の端末装置６の表示は、図１０Ｂの左側の画面６５０から、病室の検索が終了したことを通知するメッセージ６３５を含む右側の画面６６０に切り替わる。このとき、例えば、病室の検索が終了したことを通知するメッセージ６３５には、検索結果（回答画面）の表示を実行する表示ボタン６３６が含まれている。オペレータが表示ボタン６３６を押下すると、例えば、図１０Ｃのような回答画面６７０が表示される。
【００９２】
回答画面（病室の検索結果）６７０は、患者ＩＤ６７１、及び部屋の感覚的な好みと病室情報とに基づいて算出した好適度ＳＣが最も高い病室から上位３件の病室の情報６７２〜６７４を含む。各病室の情報６７２〜６７４は、それぞれ、部屋名、好適度ＳＣ、使用料金、病室の画像、及び現在の病室の環境と入院患者の感覚的な好みとの差分を示す情報を含む。このような回答画面６７０を入院患者に提示することにより、該入院患者は、好適度ＳＣ等に基づいて、入院患者自身の希望に最も近い病室を選択することが可能となる。例えば、図１０Ｃの回答画面６７０において好適度ＳＣが最も高いのはＣ号室であるが、Ｃ号室の使用料金は次点のＡ号室の使用料金よりも高い。しかも、Ｃ号室の好適度とＡ号室の好適度との差は２点である。このため、入院患者は、例えば、現在のＡ号室の環境と自身の感覚的な好みとの差分が容認（妥協）できる範囲内であれば、使用料金を考慮してＡ号室を選択することもできる。
【００９３】
以上説明したように、本実施形態に係る入院患者管理システム１では、入院患者の病室内の環境についての感覚的な好みと、現在の各病室の環境とに基づいて、両者の差分が小さい入院患者の好みに適した病室を検索することができる。これにより、入院患者の感覚的な好みと病室の環境との不一致による、入院患者の心理的な負担や身体的な負担を軽減することが可能となる。
【００９４】
また、病室の検索結果に、環境についての情報とは別の使用料金や病室の画像等を含めることにより、入院患者は、自身の好みや希望により適した病室を選択することができる。
【００９５】
また、本実施形態に係る入院患者管理システム１では、患者が入室する病室を決定した場合に、該病室で入院生活をしている他の患者（既入院患者）に対し、入院患者向けの端末装置７を利用してメッセージを通知することができる。以下、図１１を参照し、患者が入室する病室を決定した後、入院患者管理システム１において行われる処理の一例を説明する。
【００９６】
図１１は、病室を決定した後で行われる処理の一例を説明するシーケンス図である。
図７及び図８の処理の結果に基づいて患者が入室する病室を決定した後、職員用の端末装置６のオペレータは、端末装置６を操作し、例えば、該病室に入室する患者の情報と病室の部屋名を入力する。このとき、職員用の端末装置６は、図１１のように、患者の情報及び部屋名の入力を受け付け（ステップＳ５１）、該患者の情報及び部屋名を病棟サーバ２に送信する（ステップＳ５２）。ステップＳ５１で受け付ける患者の情報は、例えば、病室を検索する際に入力した部屋（室内環境）の好み、及びその他の特記事項を含む。
【００９７】
患者の情報及び部屋名を受信した病棟サーバ２は、病室情報ＤＢ２９２を参照し、患者が新たに入室する部屋の既入院患者が使用している端末装置７の装置ＩＤを取得する（ステップＳ５３）。ステップＳ５３の処理は、例えば、病棟サーバ２のデータ処理部２１０における広報端末特定部２１３が行う。広報端末特定部２１３は、例えば、病室情報ＤＢ２９２における第１の病室情報２９２Ａと、受信した部屋名とに基づいて、患者が新たに入室する部屋の既入院患者が使用している端末装置７の装置ＩＤを取得する。
【００９８】
次に、病棟サーバ２は、患者の情報とステップＳ５３で取得した装置ＩＤとをベッドサイドサーバ９に送信する（ステップＳ５４）。その後、病棟サーバ２は、新たに入室する患者の情報を病室情報ＤＢ２９２に追加する（ステップＳ５５）。ステップＳ５４及びＳ５５の処理は、例えば、広報端末特定部２１３が行う。ステップＳ５５の処理では、広報端末特定部２１３は、例えば、病室情報ＤＢ２９２の第１の病室情報２９２Ａにおける患者が入室する病室（部屋）の該患者が使用するベッドのベッド番号に、該患者の患者ＩＤ及び特記事項（部屋の好み等）を対応付ける。なお、ステップＳ５５の処理は、例えば、病棟サーバ２のデータ処理部２１０における病室情報更新部２１１が行ってもよい。
【００９９】
ベッドサイドサーバ９は、病棟サーバ２が送信した患者の情報と装置ＩＤとを受信すると、該患者の情報に基づいて入院患者向けの端末装置７に送信するメッセージを作成する（ステップＳ５６）。ベッドサイドサーバ９は、例えば、新たに入室する患者の感覚的な部屋の好みに基づいて、既入院患者及び新たに入室する患者の両者が気分を害することのない中立的なメッセージを作成する。
【０１００】
メッセージを作成した後、ベッドサイドサーバ９は、例えば、図示しない外部情報受配信装置８及び院外ネットワーク１２を介して、受信した装置ＩＤにより指定される端末装置７にメッセージを送信する（ステップＳ５７）。ここで、例えば、図１１に示した３個の入院患者向けの端末装置７が、新たに患者が入室する病室（Ｃ号室）の患者向けの端末装置７０１〜７０３であるとすると、該３個の端末装置のうちの１個（例えば端末装置７０２）は、新たに入室する患者に提供する端末装置となる。このため、３個の端末装置のうちの新たに入室する患者に提供する端末装置を除く２個の端末装置７０１，７０３を既入院患者が使用している場合、ベッドサイドサーバ９は、既入院患者が使用している２個の端末装置７０１，７０３のそれぞれにメッセージを送信する。
【０１０１】
新たに患者が入室する病室の端末装置７０１，７０３は、ベッドサイドサーバ９からのメッセージを受信すると、それぞれ、受信したメッセージを表示する（ステップＳ５８ａ及びＳ５８ｂ）。このとき、メッセージを受信した端末装置７０１，７０３は、例えば、受信してから所定の期間が経過するまで、或いは該端末装置７０１，７０３を使用している既入院患者が端末装置７０１，７０３に対し所定の操作を行うまで、メッセージを表示し続ける。これにより、新たに患者が入室する病室の既入院患者に対し、新たに入室する患者がいること、及び該患者とのトラブルを避けるためのヒントを広報することができる。
【０１０２】
以下、図１２Ａ及び図１２Ｂを参照し、入院患者向けの端末装置７の画面遷移の例を説明する。
【０１０３】
図１２Ａは、入院患者向けの端末装置の画面遷移の例を説明する図（その１）である。図１２Ｂは、入院患者向けの端末装置の画面遷移の例を説明する図（その２）である。
【０１０４】
入院患者向けの端末装置７は、例えば、タブレット型のコンピュータである。端末装置７の表示装置には、初期画面として、例えば、図１２Ａの上段に示したようなコミュニケーション画面７１０が表示される。コミュニケーション画面７１０は、端末装置７に表示されるメニュー画面（大メニュー）の１つであり、病院情報、地域情報、医療情報、及びアンケート情報の中メニューを選択する選択ボタンを含む。入院患者向けの端末装置７は、表示装置の表示面にタッチパネルが重ねて配置されており、端末装置７の利用者がコミュニケーション画面７１０における病院情報と記載された選択ボタン７１１を押下する（タッチする）と、図１２Ａの上段の画面７１０のように、中メニューのうちの病院情報と記載された選択ボタン７１１の表示が他の選択ボタン７１２等とは異なる表示になるとともに、中メニューの下方に、病院情報に関する選択ボタンを含む小メニューが表示される。該小メニューの選択ボタンのうち、病院情報と記載された選択ボタン７１３を押下すると、例えば、病院の歴史や診療科等の情報が表示される。また、小メニューの選択ボタンのうち、スタッフ紹介と記載された選択ボタン７１４を押下すると、例えば、院長、各診療科の医師、看護師等の病院スタッフを紹介する画面が表示される。また、小メニューの選択ボタンのうち、施設案内と記載された選択ボタン（図示せず）を押下すると、例えば、トイレ、各診療科の診察室、検査室、リハビリ施設等の病院内の各施設の場所を示すフロアマップが表示される。
【０１０５】
また、コミュニケーション画面７１０における上端側には、他の大メニュー（診察情報及びアメニティ）を選択する選択ボタンが表示されている。コミュニケーション画面上端の診療情報と記載された選択ボタンを押下すると、端末装置７の表示は、例えば、図１２Ａの中段に示したような診療情報メニュー画面７２０に切り替わる。診療情報メニュー画面７２０は、診療情報及びオリエンテーションの中メニューを選択する選択ボタンを含む。診療情報メニュー画面７２０における診療情報と記載された選択ボタン７２１を押下すると、図１２Ａの中段の画面７２０のように、中メニューのうちの診療情報と記載された選択ボタン７２１の表示が他の選択ボタン７２２とは異なる表示になるとともに、中メニューの下方に、診療情報に関する選択ボタンを含む小メニューが表示される。該小メニューの選択ボタンのうち、苦痛のスクリーニングと記載された選択ボタン７２３を押下すると、例えば、パスワードを入力する画面が表示され、正しいパスワードを入力すると、入院生活における身体的な苦痛や心理的な苦痛に対する問診を行う画面が表示される。また、小メニューの選択ボタンのうち、検査結果と記載された選択ボタン７２４を押下すると、例えば、パスワードを入力する画面が表示され、正しいパスワードを入力すると、入院中に行った各種検査の検査結果を示す画面が表示される。
【０１０６】
また、コミュニケーション画面７１０或いは診療情報メニュー画面７２０における上端のアメニティと記載された選択ボタン（図示せず）を押下すると、端末装置７の表示は、例えば、図１２Ａの下段に示したようなアメニティメニュー画面７３０に切り替わる。アメニティメニュー画面７３０は、食事予約、デリバリ、予約、及び図書の中メニューを選択する選択ボタンを含む。アメニティメニュー画面７３０における食事予約と記載された選択ボタン７３１を押下すると、図１２Ａの下段の画面７３０のように、中メニューのうちの食事予約と記載された選択ボタン７３１の表示が他の選択ボタンとは異なる表示になるとともに、中メニューの下方に、食事予約に関する選択ボタンを含む小メニューが表示される。該小メニューの選択ボタンのうち、食事選択と記載された選択ボタン７３３を押下すると、例えば、和食及び洋食のいずれかを選択する画面が表示される。また、小メニューの選択ボタンのうち、食事履歴と記載された選択ボタン７３４を押下すると、例えば、直近の数日間の食事の履歴を示す画面が表示される。
【０１０７】
更に、入院患者向けの端末装置７の表示面における下端部には、病院からの入院患者に対する各種メッセージを表示する表示エリア７９０が設けられている。該表示エリア７９０には、例えば、全入院患者に向けたメッセージに限らず、診療科毎、或いは病室毎の個別のメッセージを表示することができる。
【０１０８】
例えば、Ｃ号室に新たな患者が入室する場合、図１１のシーケンスに沿った処理により、Ｃ号室の既入院患者が使用している端末装置７（７０１及び７０３）に、新たな患者が入室すること、及び該患者とのトラブルを避けるためのヒントを含むメッセージが送信される。このメッセージを受信した端末装置７（７０１及び７０３）は、例えば、図１２Ｂに示したように、表示面における下端部の表示エリア７９０に、受信したメッセージをスクロール表示する。これにより、Ｃ号室の既入院患者は、新たな患者が入室すること、及び該患者は寒いのが苦手でありかつ音に敏感であることを事前に知ることができる。また、新たに入室する患者は入室する病室（Ｃ号室）の環境の概要を事前に把握している。このため、新たに入室する患者は寒いのが苦手であることや音に敏感であることを既入院患者に知らせることで、例えば、新たに入室する患者と既入院患者とが互いに気を配ることができ、入院生活中の患者同士のトラブルの発生を防止することができる。
【０１０９】
なお、上記の入院患者の好みに適した病室を検索する処理は、新たに入院する患者の病室を決定する場合に限らず、既に入院している患者が別の病室に移動する場合にも適用可能である。
【０１１０】
以上説明したように、本実施形態に係る入院患者管理システム１では、病室の環境に関する入院患者の感覚的な好みに適した病室に該入院患者を入室させることができる。このため、本実施形態に係る入院患者管理システム１によれば、病室の環境と入院患者の感覚的な好みとの不一致による入院患者の心理的な負担や身体的な負担を軽減することができる。したがって、本実施形態に係る入院患者管理システム１は、入院患者の入院生活に対する満足度を向上させることができる。また、心理的な負担や身体的な負担が軽減することにより、入院患者の入院理由（病気やけがの種類）によっては、例えば、短期間で快方に向かい早期に退院できる可能性が高くなる。
【０１１１】
また、本実施形態の入院患者管理システム１では、新たに患者が入室する病室の既入院患者に対し、事前に、新たな患者が入室すること、及び該患者とのトラブルを避けるためのヒントを広報することができる。また、新たに入室する患者は、自身が入室する病室の環境と自身の好みとの差異を把握した上で入室する。このため、新たに入室した患者と既入院患者とが互いに気を配りあい、患者同士のトラブルの発生を防止することができる。
【０１１２】
なお、図１の入院患者管理システム１は、本実施形態に係る入院患者管理システム１の一構成例に過ぎない。本実施形態に係る入院患者管理システム１は、図１の構成に限らず、適宜変更可能である。例えば、入院患者管理システム１は、入院患者及び外来患者の電子カルテを集約し管理するサーバ装置を含むものであってもよい。また、入院患者管理システム１は、例えば、入院患者の家族等が使用している携帯電話機やスマートフォン等の通信機器に対し各種のメッセージを送信する機能を含むものであってもよい。また、入院患者管理システム１における病棟サーバ２とベッドサイドサーバ９とは、別個のサーバ装置に限らず、それぞれの機能を持つ１個のサーバ装置であってもよい。例えば、病棟サーバ２は、図２に示した各機能の他に、広報端末特定部２１３で特定した入院患者向けの端末装置７に送信するメッセージを作成する機能を含むサーバ装置であってもよい。
【０１１３】
また、１つの病室（一部屋）に設置するセンサ装置５は、例えば、温度、湿度、照度、及び騒音レベル（音圧レベル）を計測可能なセンサ装置であればよい。例えば、図２の温度センサ５０１Ａと湿度センサ５０２Ａとは、別個のセンサ装置である必要はなく、温度及び湿度を計測可能な１個のセンサ装置に含まれるものであってもよい。
【０１１４】
また、環境に関する入院患者の感覚的な好みを数値化する要素変換テーブルにおける１項目当たりの要素の数は、図５のような３通りの要素に限らず、適宜変更可能である。
【０１１５】
更に、図９、及び図１０Ａ〜図１０Ｃは、新たな入院患者が入室する病室を決定する際の職員用の端末装置６の画面遷移の一例に過ぎない。職員用の端末装置６の表示画面は、端末装置６の仕様や入院患者管理システム１で提供するサービスの内容等に応じて適宜変更可能である。また、職員用の端末装置６は、タブレット型コンピュータ等のソフトウェアキーボード等により各種情報を入力する端末装置に限らず、ハードウェアキーボードやタッチパッド等を備えた端末装置（コンピュータ）であってもよい。
【０１１６】
同様に、図１２Ａ及び図１２Ｂは、入院患者向けの端末装置７の画面遷移の一例に過ぎない。入院患者向けの端末装置７の表示画面は、端末装置７の仕様や該端末装置７を利用して入院患者に提供するサービスの内容等に応じて適宜変更可能である。
【０１１７】
加えて、本実施形態では、病院に入院する患者の室内環境の好みに適した病室を検索する入院患者管理システム１を例に挙げたが、本発明を適用可能なシステムは入院患者管理システム１に限定されないことはもちろんである。
【０１１８】
また、本実施形態に係る病棟サーバ２は、コンピュータと、該コンピュータに実行させるプログラムにより実現可能である。以下、図１３を参照し、コンピュータとプログラムとにより実現される病棟サーバ２について説明する。
【０１１９】
図１３は、コンピュータのハードウェア構成を示す図である。
図１３に示すように、コンピュータ１５は、ＣＰＵ（Central Processing Unit）１５０１と、メモリ１５０２と、補助記憶装置１５０３と、入出力インタフェース１５０４と、表示制御装置１５０５と、通信制御装置１５０６と、媒体駆動装置１５０７とを備える。コンピュータ１５におけるこれらの要素１５０１〜１５０７は、バス１５１０により相互に接続されており、要素間でのデータの受け渡しが可能になっている。
【０１２０】
ＣＰＵ １５０１は、オペレーティングシステムを含む各種のプログラムを実行することによりコンピュータ１５の全体の動作を制御するプロセッサである。例えば、ＣＰＵ １５０１は、病室の環境に関するセンサデータを取得して病室情報を更新する処理（図６のステップＳ２１〜Ｓ２３）を実行する。また、ＣＰＵ １５０１は、病室の好適度を算出して回答画面を作成する処理（図７のステップＳ３５〜Ｓ３７）を含むプログラムを実行する。更に、ＣＰＵ １５０１は、新たに入院する患者についてのメッセージを送信する入院患者向けの端末装置７を特定する処理（図１１のステップＳ５３〜Ｓ５５）を含むプログラムを実行する。ここで、図７のステップＳ３５〜Ｓ３７の処理を含むプログラムにおける好適度を算出する処理（ステップＳ３６）は、例えば、図８のステップＳ４１〜Ｓ４８のループ処理を含む処理としてサブルーチン化されている。なお、ＣＰＵ １５０１が実行するこれらのプログラムは、例えば、１つのプログラム内でサブルーチン化されていてもよいし、別個のプログラムであってもよい。
【０１２１】
メモリ１５０２は、ＲＯＭ（Read Only Memory）及びＲＡＭ（Random Access Memory）を含む。メモリ１５０２のＲＯＭには、例えば、コンピュータ１５の起動時にＣＰＵ １５０１が読み出す所定の基本制御プログラム等が予め記録されている。また、メモリ１５０２のＲＡＭは、ＣＰＵ １５０１が、各種のプログラムを実行する際に必要に応じて作業用記憶領域として使用する。メモリ１５０２のＲＡＭは、例えば、入院患者の患者ＩＤ及び室内環境の好み、要素変換テーブル２９３、並びに減点値ＳＴ，ＳＨ，ＳＮ，ＳＬ及び好適度ＳＣ等の一時的な記憶に利用可能である。
【０１２２】
補助記憶装置１５０３は、例えば、ＨＤＤ（Hard Disk Drive）等の磁気ディスク、及びフラッシュメモリディスク等の不揮発性メモリディスクである。補助記憶装置１５０３には、ＣＰＵ １５０１によって実行される各種のプログラムや各種のデータ等を記憶させることができる。補助記憶装置１５０３は、例えば、上記のステップＳ２１〜Ｓ２３の処理を含むプログラム、ステップＳ３５〜Ｓ３７の処理を含むプログラム、及びステップＳ５３〜Ｓ５５の処理を含むプログラム等の記憶に利用可能である。また、補助記憶装置１５０３は、例えば、端末情報２９１、病室情報データベース（病室情報ＤＢ）２９２、要素変換テーブル２９３、及び病室画像２９４等の記憶に利用可能である。また、補助記憶装置１５０３は、減点値ＳＴ，ＳＨ，ＳＮ，ＳＬ及び好適度ＳＣ等の一時的な記憶に利用可能である。
【０１２３】
入出力インタフェース１５０４は、入力装置１６からの入力情報の受付及び図示しない出力装置への情報の出力をするハードウェアインタフェースである。入力装置１６は、例えば、キーボード装置、マウス装置、及びタッチパネル装置等である。出力装置（図示せず）は、表示装置１７とは別の、プリンタ装置等である。
【０１２４】
表示制御装置１５０５は、液晶表示装置等の表示装置１７の表示画面の制御等を行う。表示制御装置１５０５は、例えば、コンピュータ１５の動作状態や、補助記憶装置１５０３に記憶させた病室情報ＤＢ２９２の内容を表示装置１７に表示させることに利用可能である。
【０１２５】
通信制御装置１５０６は、コンピュータ１５を通信ネットワーク（院内ネットワーク１１）に接続し、通信ネットワークを介したコンピュータ１５と他の電子機器との各種通信を制御する装置である。
【０１２６】
媒体駆動装置１５０７は、可搬型記録媒体１８に記録されているプログラムやデータの読み出し、補助記憶装置１５０３に記憶されたデータ等の可搬型記録媒体１８への書き込みを行う。可搬型記録媒体１８としては、例えば、Secure  Digital（ＳＤ）規格のメモリカード（フラッシュメモリ）がある。可搬型記録媒体１８は、上記の各プログラムの記録に利用可能である。また、可搬型記録媒体１８は、例えば、端末情報２９１、病室情報ＤＢ２９２、要素変換テーブル２９３、及び病室画像２９４等の記憶に利用可能である。
【０１２７】
更に、コンピュータ１５が媒体駆動装置１５０７として利用可能な光ディスクドライブを搭載している場合、当該光ディスクドライブで認識可能な各種の光ディスクを可搬型記録媒体１８として利用可能である。可搬型記録媒体１８として利用可能な光ディスクには、例えば、ＣＤ（Compact Disc）、ＤＶＤ（Digital Versatile Disc）、Blu-ray Disc（Blu-rayは登録商標）等がある。
【０１２８】
コンピュータ１５は、起動させると、ＣＰＵ １５０１が補助記憶装置１５０３等から上記の各処理を含むプログラムを読み出して実行する。上記のステップＳ２１〜Ｓ２３の処理を実行している間、ＣＰＵ １５０１は、病棟サーバ２のデータ処理部２１０における病室情報更新部２１１として機能する。また、上記のステップＳ３５〜Ｓ３７の処理を実行している間、ＣＰＵ １５０１は、病棟サーバ２のデータ処理部２１０における病室検索部２１２として機能する。更に、上記のステップＳ５３〜Ｓ５５の処理を実行している間、ＣＰＵ １５０１は、病棟サーバ２のデータ処理部２１０における広報端末特定部２１３として機能する。また、上記の各処理を実行している間、コンピュータ１５のメモリ１５０２におけるＲＡＭ、補助記憶装置１５０３、及び可搬型記録媒体１８等の非一時的な記録媒体は、病棟サーバ２の記憶部２９０として機能する。
【０１２９】
なお、病棟サーバ２として動作させるコンピュータ１５のハードウェア構成は、図１３に示した構成に限定されるものではなく、用途や条件に応じて一部の要素を省略する或いは追加することも可能である。例えば、コンピュータ１５は、媒体駆動装置１５０７が省略されたものであってもよい。
【符号の説明】
【０１３０】
１  入院患者管理システム
２  病棟サーバ
２１０  データ処理部
２１１  病室情報更新部
２１２  病室検索部
２１３  広報端末特定部
２２０  通信部
２９０  記憶部
２９１  端末情報
２９２  病室情報データベース（病室情報ＤＢ）
２９３  要素変換テーブル
２９４  病室画像
３  病棟クライアント
４，４Ａ，４Ｂ  センサ用ゲートウェイ装置（ＧＷ装置）
５，５Ａ，５Ｂ  センサ装置
５０１Ａ  温度センサ
５０２Ａ  湿度センサ
５０３Ａ  照度センサ
５０４Ａ  騒音センサ
６  職員用の端末装置
７  入院患者向けの端末装置
８  外部情報受配信装置
９  ベッドサイドサーバ
１０  チャットサーバ
１１  院内ネットワーク
１２  インターネット
１５  コンピュータ
１５０１  ＣＰＵ
１５０２  メモリ
１５０３  補助記憶装置
１５０４  入出力インタフェース
１５０５  表示制御装置
１５０６  通信制御装置
１５０７  媒体駆動装置
１５１０  バス
１６  入力装置
１７  表示装置
１８  可搬型記録媒体
【図１】
2020038546.tif 000003
【図２】
2020038546.tif 000004
【図３】
2020038546.tif 000005
【図４】
2020038546.tif 000006
【図５】
2020038546.tif 000007
【図６】
2020038546.tif 000008
【図７】
2020038546.tif 000009
【図８】
2020038546.tif 000010
【図９】
2020038546.tif 000011
【図１０Ａ】
2020038546.tif 000012
【図１０Ｂ】
2020038546.tif 000013
【図１０Ｃ】
2020038546.tif 000014
【図１１】
2020038546.tif 000015
【図１２Ａ】
2020038546.tif 000016
【図１２Ｂ】
2020038546.tif 000017
【図１３】
2020038546.tif 000018